(57)【要約】【課題】外調機を用いて外気冷熱回収をすることにより、廉価な構成の外気冷熱回収制御システムを実現する。【解決手段】温度計１１が外調機１と接続した冷水管１５を流れる冷水の温度を測定し、空調制御部９がこの冷水温度に応じて冷水弁１３の開度を制御する。外調機１は、冷水管１５を流れる冷水と外気とを熱交換して、外気の冷熱を回収し、冷水を冷却する。冷水の温度が所定の値より上昇した場合は、空調制御部９が、冷水弁１３の開度を全閉に制御することによって外調機１での外気冷熱回収を停止させ、冷熱源機器において冷水を冷却させる。【選択図】図１
2009138997.tif 000002
【特許請求の範囲】
【請求項１】
内部を流れる冷水および／または温水と外気とを熱交換して１次調整空気を送出する外調機と、内部を流れる冷水および／または温水と前記１次調整空気とを熱交換して２次調整空気を送出する内調機とを備えた空調設備における外気冷熱回収制御システムであって、
前記外調機の冷水の温度を測定する冷水温度検出器と、
前記外調機の冷水の流量を調整する冷水弁と、
前記冷水温度検出器を用いて測定された前記冷水の温度に応じて前記冷水弁の開度を制御する空調制御部とを備え、
前記外調機は、前記内部を流れる冷水と前記外気とを熱交換して、当該外気の冷熱を回収して当該冷水を生成することを特徴とする外気冷熱回収制御システム。
【請求項２】
外気の温度を測定する外気温度検出器を備え、
空調制御部は、前記外気の温度が冷水温度検出器を用いて測定された冷水の温度より低下すると、冷水弁の開度制御を開始することを特徴とする請求項１記載の外気冷熱回収制御システム。
【請求項３】
外調機および内調機を流れる冷水を生成する冷熱源機器を備え、
空調制御部は、冷水温度検出器を用いて測定された冷水の温度が所定の値より上昇すると、冷水弁の開度を閉方向に制御すると共に、前記冷熱源機器を稼動させることを特徴とする請求項１または請求項２記載の外気冷熱回収制御システム。
【請求項４】
外調機内を流れる冷水および／または温水と外気とを熱交換して１次調整空気を送出し、前記１次調整空気と内調機内を流れる冷水および／または温水とを熱交換して２次調整空気を送出する空調設備における外気冷熱回収制御方法であって、
前記外調機内を流れる冷水の温度を冷水温度検出器を用いて測定する温度測定ステップと、
前記温度測定ステップで測定された温度に基づいて、前記外調機内を流れる冷水の流量を調整する冷水弁の開度を制御する外気冷熱回収ステップとを備え、
前記外調機は、内部を流れる冷水と前記外気とを熱交換して、当該外気の冷熱を回収して当該冷水を生成することを特徴とする外気冷熱回収制御方法。
【請求項５】
外気の温度を外気温度検出器を用いて測定する外気温度測定ステップと、
前記外気温度測定ステップで測定された温度が温度測定ステップで測定された温度より低下した場合に外気冷熱回収ステップを開始させる外気冷熱回収判定ステップとを備えたことを特徴とする請求項４記載の外気冷熱回収制御方法。
【請求項６】
温度測定ステップで測定された冷水の温度が所定の値より上昇した場合に、冷水弁の開度を閉方向に制御すると共に、外調機および内調機を流れる前記冷水を生成する冷熱源機器を稼動させる冷熱源稼動ステップを備えたことを特徴とする請求項４または請求項５記載の外気冷熱回収制御方法。
【発明の詳細な説明】
【技術分野】
【０００１】
この発明は、配管を流れる冷水と外気取入空気との間で熱交換処理する外調機を備えた空調設備の冷熱回収制御システムおよび外気冷熱回収制御方法に関するものである。
【背景技術】
【０００２】
病院オペ室、クリーンルーム、電算センタ等では、室内環境を一定に維持するために恒温恒湿制御を行っている。冷水コイルを有する４管式等の空調設備においては、恒温恒湿環境を実現するために冬期でも冷房運転を行う場合があり、冷房用の冷水が必要となる。冷凍機は、冷水を生成するための極少の冷水負荷に対して、低負荷運転および低効率運転を強いられることとなる。そのため、冷凍機稼動により空調設備のエネルギ消費が増大してしまう問題があった。
【０００３】
最近では、省エネルギ対策として、冬期の極少冷水負荷に対して冷却塔を用いた「フリークーリング」手法を取り入れて、冷房運転を行う場合がある（例えば、特許文献１および特許文献２）。フリークーリング手法を取り入れた外気冷熱回収制御システムでは、冷凍機にかえて、冷却塔にて低温の外気を冷熱源として使用し、冷房用の冷水を生成する。冷却塔を使用する期間は、冷凍機の運転停止による省エネルギ効果が期待できる。
【０００４】
【特許文献１】特開２００４−２９３８８６号公報
【特許文献２】特開平７−１９５２３号公報
【発明の開示】
【発明が解決しようとする課題】
【０００５】
従来の外気冷熱回収制御システムは以上のように構成されているので、冷凍機の停止による省エネルギ効果を期待できる半面、冷却塔およびそれに付随する配管や熱交換器等の設備導入コストが大きく投資対効果が低いという課題があった。
【０００６】
この発明は、上記のような課題を解決するためになされたもので、外調機を用いて外気冷熱回収をすることにより、廉価な構成の外気冷熱回収制御システムを実現することを目的とする。
【課題を解決するための手段】
【０００７】
この発明に係る外気冷熱回収制御システムは、内部を流れる冷水および／または温水と外気とを熱交換して１次調整空気を送出する外調機と、内部を流れる冷水および／または温水と１次調整空気とを熱交換して２次調整空気を送出する内調機とを備えた空調設備における外気冷熱回収制御システムであって、外調機の冷水温度を測定する冷水温度検出器と、外調機の冷水流量を調整する冷水弁と、冷水温度検出器を用いて測定された冷水の温度に応じて冷水弁の開度を制御する空調制御部とを備え、外調機は、内部を流れる冷水と外気とを熱交換して、外気の冷熱を回収して冷水を生成するようにしたものである。
【０００８】
この発明に係る外気冷熱回収制御システムは、外気温度を測定する外気温度検出器を備え、空調制御部が、外気温度検出器により計測された外気温度が冷水温度検出器を用いて測定された冷水温度より低下すると、冷水弁の開度制御を開始するようにしたものである。
【０００９】
この発明に係る外気冷熱回収制御システムは、外調機および内調機を流れる冷水を生成する冷熱源機器を備え、空調制御部は、冷水温度検出器を用いて測定された冷水温度が所定の値より上昇すると、外調機の冷水弁の開度を閉方向に制御すると共に、冷熱源機器を稼動させるようにしたものである。
【００１０】
この発明に係る外気冷熱回収制御方法は、外調機内を流れる冷水および／または温水と外気とを熱交換して１次調整空気を送出し、１次調整空気と内調機内を流れる冷水および／または温水とを熱交換して２次調整空気を送出する空調設備における外気冷熱回収制御方法であって、外調機内を流れる冷水温度を冷水温度検出器を用いて測定する温度測定ステップと、温度測定ステップで測定された冷水温度に基づいて、外調機内を流れる冷水流量を調整する冷水弁の開度を制御する外気冷熱回収ステップとを備え、外調機は、内部を流れる冷水と前記外気とを熱交換して、外気の冷熱を回収して冷水を生成するようにしたものである。
【００１１】
この発明に係る外気冷熱回収制御方法は、外気温度を外気温度検出器を用いて測定する外気温度測定ステップと、外気温度測定ステップで測定された外気温度が温度測定ステップで測定された冷水温度より低下した場合に外気冷熱回収ステップを開始させる外気冷熱回収判定ステップとを備えるようにしたものである。
【００１２】
この発明に係る外気冷熱回収制御方法は、温度測定ステップで測定された冷水温度が所定の値より上昇した場合に、外調機の冷水弁の開度を閉方向に制御すると共に、外調機および内調機を流れる冷水を生成する冷熱源機器を稼動させる冷熱源稼動ステップを備えるようにしたものである。
【発明の効果】
【００１３】
この発明によれば、フリークーリングに必要な配管設備や熱交換器等を新たに設けることなく、外調機に冷水温度検出器や外気温度検出器を設けるのみで、空調制御装置等を活用して、外調機を流れる冷水を外気により熱交換するようにしたので、廉価な構成による外気冷熱回収制御システムを実現することができる。
【発明を実施するための最良の形態】
【００１４】
実施の形態１．
図１は、この発明の実施の形態１に係る外調機および内調機の内部構成を示す構成図である。図１に示す外調機１は、矢印２方向から外気を取り入れ、熱交換処理した外気取入空気を１次調整空気として内調機２０側矢印３方向へ供給する。矢印２方向から外調機１に取り入れられた外気取入空気は、フィルタ４を介して、冷水コイル５および温水コイル６へ導入される。冷水コイル５は、後述する冷水管１５を流れる冷水とこの外気取入空気との間で熱交換処理を行う。また、温水コイル６は、後述する温水管１６を流れる温水とこの外気取入空気との間で熱交換処理を行う。この処理によって冷却または加熱された１次調整空気が、加湿器７によって湿度調整され、ファン８により内調機側矢印３方向へ送出される。
【００１５】
内調機２０は、外調機側矢印３方向から送出された１次調整空気を取り入れ、熱交換処理して、２次調整空気として室内側矢印２１方向へ供給する。なお、室内からの戻り空気も図示しない還気ダクトを通して１次調整空気と共に内調機２０に供給される。矢印３方向から取り入れられた１次調整空気は、フィルタ２２を介して、冷水コイル２３および温水コイル２４へ導入される。冷水コイル２３または温水コイル２４は、冷水管１５を流れる冷水または温水管１６を流れる温水と１次調整空気との間で熱交換処理を行う。この処理によって冷却または加熱された２次調整空気が、加湿器２５によって湿度調整され、ファン２６により室内側矢印２１方向へ送出される。この外調機１および内調機２０の各部の動作は、空調制御部９が制御している。
【００１６】
空調制御部９は、外気または外気取入空気の温度を測定する温度検出器１０（外気温度検出器）、および外調機１出口側の冷水管１５を流れる冷水の温度を測定する温度検出器１１（冷水温度検出器）と接続され、温度検出器１０，１１から出力される外気温度および冷水温度をそれぞれ監視する。また、空調制御部９は、図示しない外気取入ダクトに設置されたダンパ１２を制御して外気取入空気の流量を調整する。さらに、冷水管１５に介設された冷水弁１３，２７および温水管１６に介設された温水弁１４，２８を制御して冷水および温水の流量をそれぞれ調節する。なお、外気温度検出器１０は空調機毎に設ける必要はなく、代表で１点測定しても良く、その測定箇所も外調機の外気取入箇所に限らず、屋外で測定しても良い。
【００１７】
図２は、この発明の実施の形態１に係る空調設備の全体構成を示す構成図である。図２に示す空調設備は、空調ユニット１００、冷熱源ユニット２００およびポンプユニット３００が冷水管１５で接続され、冷水が循環している。空調ユニット１００はさらに、温熱源ユニット４００およびポンプユニット５００と温水管１６で接続され、温水が循環している。
【００１８】
図２において、空調ユニット１００は、外調機１ａ，１ｂ、冷水温度検出器１１ａ，１１ｂ、外調機１ａ，１ｂの出口冷水流量を調整する冷水弁１３ａ，１３ｂ、外調機１ａ，１ｂの出口温水流量を調整する温水弁１４ａ，１４ｂ、内調機２０ａ，２０ｂ、内調機２０ａ，２０ｂの出口冷水流量を調整する冷水弁２７ａ，２７ｂ、内調機２０ａ，２０ｂの出口温水流量を調整する温水弁２８ａ，２８ｂを有する。図１に示す外調機１が図２に示す外調機１ａ，１ｂであり、図１に示す内調機２０が図２に示す内調機２０ａ，２０ｂである。なお、図２では外気温度検出器１０は省略する。また、外気取入ダクト、給気ダクト、還気ダクトといった調整空気の流れについての説明も省略する。
【００１９】
冷熱源ユニット２００は、外調機１ａ，１ｂにおいて外気取入空気と熱交換された後の冷水、および内調機２０ａ，２０ｂにおいて１次調整空気と熱交換された後の冷水を冷熱源機器３０ａ，３０ｂへ送る１次ポンプ２９ａ，２９ｂ、空調ユニット１００で必要な冷水を造る冷熱源機器３０ａ，３０ｂを有する。
温熱源ユニット４００は、外調機１ａ，１ｂにおいて外気取入空気と熱交換された後の温水、および内調機２０ａ，２０ｂにおいて１次調整空気と熱交換された後の温水を温熱源機器３２ａ，３２ｂへ送る１次ポンプ３１ａ，３１ｂ、空調ユニット１００で必要な温水を造る温熱源機器３２ａ，３２ｂを有する。
【００２０】
ポンプユニット３００は、ヘッダ３６，３７、ヘッダ３６，３７に介設されたバイパス弁３３、空調ユニット１００へ冷水を供給するための２次ポンプ３４ａ，３４ｂ，３４ｃ、２次ポンプ３４ａ，３４ｂ，３４ｃの回転数を制御するインバータ３５ａ，３５ｂ，３５ｃを有する。そして図１に示す空調制御部９により、例えば冷水管１５の空調ユニット１００からヘッダ３８までの間（いわゆる冷水還管側）に設けた図示しない流量検出計により計測される負荷流量に基づいて２次ポンプ３４ａ，３４ｂ，３４ｃの運転台数が制御される。またヘッダ３６に設けた図示しない圧力検出器により計測される吐出圧力に基づいてバイパス弁３３および２次ポンプ３４ａ，３４ｂ，３４ｃの回転数が制御される。
ポンプユニット５００は、ポンプユニット３００同様に、ヘッダ４３，４４、ヘッダ４３，４４に介設されたバイパス弁４０、空調ユニット１００へ温水を供給するための２次ポンプ４１ａ，４１ｂ，４１ｃ、２次ポンプ４１ａ，４１ｂ，４１ｃの回転数を制御するインバータ４２ａ，４２ｂ，４２ｃを有し、前述と同様に制御される。
【００２１】
ヘッダ３７とヘッダ３８とは連結弁３９を介して連結され、負荷に応じて空調ユニット１００側を流れる冷水量と冷熱源ユニット２００側を流れる冷水量とのバランスを調整している。同様に、ヘッダ４４とヘッダ４５とは連結弁４６を介して連結され、負荷に応じて空調ユニット１００側を流れる温水量と温熱源ユニット４００側を流れる温水量とのバランスを調整している。
【００２２】
なお、外調機１ａ，１ｂ、内調機２０ａ，２０ｂ、温度検出器１０，１１ａ，１１ｂ、冷水弁１３ａ，１３ｂ，２７ａ，２７ｂ、温水弁１４ａ，１４ｂ，２８ａ，２８ｂ、１次ポンプ２９ａ，２９ｂ，３１ａ，３１ｂ、冷熱源機器３０ａ，３０ｂ、温熱源機器３２ａ，３２ｂ、２次ポンプ３４ａ，３４ｂ，３４ｃ，４１ａ，４１ｂ，４１ｃ、インバータ３５ａ，３５ｂ，３５ｃ，４２ａ，４２ｂ，４２ｃは、空調設備の設計によって必要な設置数を決定すればよい。また、熱源機器は冷水および温水を同時に生成できる機器でも良い。
以下では、説明を簡略化するために、区別する必要がない限りこれら各部を外調機１、内調機２０、外気温度検出器１０、冷水温度検出器１１、冷水弁１３，２７、温水弁１４，２８、１次ポンプ２９，３１、冷熱源機器３０、温熱源機器３２、２次ポンプ３４，４１、インバータ３５，４２と呼ぶこととする。また、空調制御部９は、１つの外調機１に１つ備える構成であっても、複数の外調機１を有する空調設備に１つ備える構成であってもよい。
【００２３】
以下では、冬期における空調設備の動作について説明する。冬期において、空調設備の冷水管１５を流れる冷水は、外調機１で熱交換されるか、または冷熱源ユニット２００によって冷却されるかして生成される。外調機１を利用して外気と冷水との間で熱交換処理を行い、冷水を生成する外気冷熱回収制御システムの詳細については後述する。生成された冷水は、ポンプユニット３００により外調機１および内調機２０へそれぞれ供給される。また、温水管１６を流れる温水は、温熱源ユニット４００で加熱され、ポンプユニット５００により外調機１および内調機２０へそれぞれ供給される。
【００２４】
空調制御部９は、例えば図示しない給気露点温度検出器が計測した給気露点温度を所定の設定値に維持するように外調機１内の温水コイル６の温水弁１４を制御して、適切な流量の温水を流す。外調機１において、この温水と外気取入空気との間で熱交換処理が行われ、加熱された１次調整空気が内調機２０へ送出される。
【００２５】
他方、内調機２０へは冷水管１５を通じて冷水が供給され、かつ、温水管１６を通じて温水が供給される。各内調機２０が、例えば図示しない室内温湿度検出器が計測した室内温湿度を所定の設定値で維持するように、空調制御部９により冷水弁２７および温水弁２８が制御される。この際、室内負荷が大きい場合や温水弁２８、冷水弁２７の制御隙間等により室内温度が所定の設定値以上に上昇する場合があり、この上昇分を補うように空調制御部９が冷水弁２７の開度を制御して冷水コイル２３に適量の冷水を流し、室内温湿度を設定値に維持するように制御される。
【００２６】
ここで、空調制御部９の構成について説明する。図３は、この発明の実施の形態１に係る空調制御部９の構成を示すブロック図である。
空調制御装部９は、外気温度検出器１０が計測した外気温度および冷水温度検出器１１が計測した冷水温度を受信する温度受信部９１と、ユーザの操作入力等により外気冷熱回収設定温度や冷水設定温度等を設定する設定部９２と、温度受信部９１が受信した冷水温度と設定部９２により設定された冷水温度に基づいて冷水弁２７の開度を演算する演算部９３と、演算部９３の演算結果に基づき冷水弁２７を制御する冷水弁制御部９４と、冷水温度検出器１１が計測した冷水温度と設定部９２により設定された冷熱源起動温度に基づいて冷熱源機器３０の起動を制御する冷熱源制御部９５とを有する。
ここで冷水弁制御部９４は、冷水弁１３への開度出力信号の送信および実開度のフィードバック信号の受信を行う。また冷熱源制御部９５は、冷熱源機器３０の運転状況に関する情報を演算部９３に送信する。
【００２７】
以下では、外調機１を用いて、外気と冷水の熱交換処理を行う外気冷熱回収制御システムの動作について説明する。図４は、この発明の実施の形態１に係る外気冷熱回収制御システムの動作を示すフローチャートである。ステップＳＴ１０１において、外気温度検出器１０により外気温度が測定される。ステップＳＴ１０２において、空調制御部９は、冷水温度検出器１１により測定された外調機１出口側の冷水管１５の冷水温度と外気温度とを比較する。空調制御部９は、外気温度が冷水温度より低い場合にのみ（ステップＳＴ１０２“Ｙｅｓ”）、以下で説明する外気冷熱回収制御の動作を開始する（ステップＳＴ１０３）。ステップＳＴ１０３の外気冷熱回収制御の動作を、図５を用いて以下で説明する。
【００２８】
図５は、この発明の実施の形態１に係る外気冷熱回収制御動作を示すフローチャートである。まず、空調制御部９は、外調機１出口側の冷水管１５の冷水温度が予め設定された外気冷熱回収設定温度（例えば１０℃）と比較して高くなると（ステップＳＴ２０１“Ｙｅｓ”）、冷水弁１３を最小開度（例えば３０％）で開き（ステップＳＴ２０２）、最小流量の冷水を冷水管１５内に循環させる。
【００２９】
空調制御部９は、予め設定された、冷水管１５が場所によらず均一の温度となるまでの設定時間が経過したら（ステップＳＴ２０３“Ｙｅｓ”）、ステップＳＴ２０４の処理へ進む。ステップＳＴ２０４では、冷水温度検出器１１により測定される外調機１出口側の冷水温度が冷水設定温度（例えば９℃）で維持されるように、空調制御部９が冷水弁１３の開度を制御する。図６は、この実施の形態１に係る外気冷熱回収制御における冷水温度と冷水弁の関係の１例を示す説明図である。
【００３０】
図６では、冷水温度が所定の冷水設定温度（ＳＰｔ）を維持する時に冷水弁を５０％開けるように比例制御する。そして、冷水温度が冷水設定温度（ＳＰｔ）より高い場合は、冷水コイル５の外気冷熱回収効率が低いため、空調制御部９が冷水弁１３の開度を閉方向に制御する。これにより、冷水コイル５を流れる冷水と外気取入空気との接触時間を増やして、冷水の冷却効果を高める。
【００３１】
一方、冷水温度が冷水設定温度（ＳＰｔ）より低い場合は、冷水コイル５の外気冷熱回収効率が高いため、空調制御部９が冷水弁１３の開度を開方向に制御する。これにより、冷水コイル５を流れる冷水と外気取入空気との接触時間を減らして、冷水の冷却効果を低下させる。
【００３２】
このように、冷熱源機器３０を稼動せず、外調機１の外気冷熱回収のみによって冷水を生成して内調機２０へ供給することによって、冷熱源機器３０が消費するエネルギを削減することができる。なお、本制御は周知のＰＩＤ制御に限らず、２位置制御（ＯＮ／ＯＦＦ）制御としても良い。さらに、４管式の外調機において冷水負荷要求により既に冷水弁が開制御している場合は、本外熱回収制御の出力要求と比較して、出力要求の大きい外調機または小さい外調機のどちらか一方を選択して、選択した外調機出口側の冷水弁を制御するようにしても良い。
【００３３】
なお、冬期の冷房運転時は、外気湿度が低いために、外調機１の冷水コイル５による除湿の必要がない。さらに、内調機２０の冷水コイル２３においても、除湿に必要となる潜熱分だけ冷房負荷が軽減されるため、室内負荷によっては冷水コイル２３の冷水温度は１２℃以上であっても問題はなく、１５℃でも十分である。従って冷水設定温度は１５℃以下であればよい。
【００３４】
内調機２０の冷水負荷要求により、冷水コイル２３で１次調整空気等と熱交換された後の冷水温度は上昇して送出されるが、同一冷水管１５に接続させている外調機１にて外気と熱交換され、所定の冷水温度を維持することができる。
【００３５】
上述の冷水弁１３の開度制御を行っても、外気温度が高い場合や室内冷房負荷が大きい場合等、冷水管１５内を循環する冷水の温度が上昇し、予め設定された冷熱源起動温度（所定の値、例えば１２℃）より高くなった場合には（ステップＳＴ２０５“Ｙｅｓ”）、空調制御部９は外気冷熱回収を停止させるために冷水弁１３を全閉に制御し、外調機１への冷水の循環を止める。そして、冷熱源機器３０を稼動させ、冷熱源機器３０にて冷水を生成させる（ステップＳＴ２０６）。
【００３６】
冷熱源稼動処理により、外調機１への冷水供給はなくなり、冷水負荷要求のある内調機２０への冷水供給のみとなる。内調機２０の冷水コイル２３にて１次調整空気等と熱交換され、温度が上昇した冷水が冷水管１５を流れ、ヘッダ３８を経由して冷熱源ユニット２００へ流入する。そして、冷熱源ユニット２００にて、稼動している冷熱源機器３０が内調機２０から送出された冷水を冷却する。冷熱源ユニット２００が冷却した冷水はポンプユニット３００を経由して、冷水弁２７が開制御された内調機２０の冷水コイル２３に流入して１次調整空気と再び熱交換される。内調機２０の冷房負荷に比べて熱源機器３０の冷却能力が高く設計されているため、冷熱源稼動処理によって、冷水管１５を循環する冷水温度が低下していく。
【００３７】
ステップＳＴ２０６において冷熱源機器３０が冷水を生成することにより、再び冷水管１５内を循環する冷水温度が低下し、冷水温度が予め設定された冷熱源停止温度（例えば１０℃）以下となった場合には（ＳＴ２０７“Ｙｅｓ”）、空調制御部９が冷熱源機器３０を停止させる。
【００３８】
以上のように、実施の形態１によれば、冷水管１５を流れる冷水と外気とを熱交換して、外気の冷熱を回収して冷水を冷却する外調機１と、外調機１の冷水温度を測定する冷水温度検出器１１と、外調機１の冷水流量を調整する冷水弁１３と、冷水温度検出器１１により測定された冷水温度に応じて冷水弁１３の開度を制御する空調制御部９とを備えるように構成したので、冷却塔、熱交換器等のフリークーリング設備を設けることなく、既存の空調設備を用いて、廉価な外気冷熱回収制御システムを実現することができる。また、冷熱源機器３０を稼動させる必要がないため、冷熱源機器３０が消費するエネルギを削減することができる。
【００３９】
また、実施の形態１によれば、外気温度を測定する外気温度検出器１０を備え、空調制御部は、外気温度検出器１０により計測された外気温度が冷水温度検出器１１により測定された冷水温度より低下すると、冷水弁１３の開度制御を開始するように構成したので、冬期のみならず中間期においても、冷水温度が外気温度より低下した場合に、外気冷熱回収制御を開始することができる。
【００４０】
さらに、実施の形態１によれば、内調機２０へ供給する冷水を冷却する冷熱源機器３０を備え、空調制御部９は、冷水温度検出器１１を用いて測定された冷水温度が冷熱源起動温度より上昇すると、冷水弁１３の開度を閉方向に制御し、かつ、冷熱源機器３０を稼動させるように構成したので、外調機１による外気冷熱回収制御では冷水温度を所定の温度に維持できない場合にも、冷熱源機器３０により冷水を生成できる。
【００４１】
なお、上記実施の形態１では、外調機１が冷水コイルと温水コイルを備える構成であった。そのため、空調ユニット１００入口側に冷水往管および温水往管、ならびに出口側に冷水還管および温水還管の４本が接続された４管式の空調設備における外気冷熱回収制御システムおよび外気冷熱回収制御方法を説明した。外調機１が冷水コイルおよび温水コイル機能兼用（２管式）の冷温水コイルを備える空調設備であっても、本実施の形態１を適用させることができる。例えば、２管式の外調機が運転中の場合は本制御から除外し、停止中の時には、ポンプユニット側で本外調機の冷温水コイルへ流す温水配管を冷水配管側に切替え、本制御対象に加える構成とすることもできる。この構成により、外調機１が停止中の時には、冷温水コイルには、冷水を流して冷水コイルとして使用し、外気冷熱回収を行うことができる。
【図面の簡単な説明】
【００４２】
【図１】この発明の実施の形態１に係る外調機および内調機の内部構成を示す構成図である。
【図２】この発明の実施の形態１に係る空調設備の全体構成を示す構成図である。
【図３】この発明の実施の形態１に係る空調制御部の構成を示すブロック図である。
【図４】この発明の実施の形態１に係る外気冷熱回収制御システムの動作を示すフローチャートである。
【図５】この発明の実施の形態１に係る外気冷熱回収制御動作を示すフローチャートである。
【図６】この発明の実施の形態１に係る外気冷熱回収制御における冷水温度と冷水弁の関係を示す説明図である。
【符号の説明】
【００４３】
１  外調機
２，３，２１  空気の流れ
４，２２  フィルタ
５，２３  冷水コイル
６，２４  温水コイル
７，２５  加湿器
８，２６  ファン
９  空調制御部
１０  外気温度検出器
１１  冷水温度検出器
１２  ダンパ
１３，２７  冷水弁
１４，２８  温水弁
１５  冷水管
１６  温水管
２０  内調機
２９，３１  １次ポンプ
３０  冷熱源機器
３２  温熱源機器
３３，４０  バイパス弁
３４，４１  ２次ポンプ
３５，４２  インバータ
３６，３７，３８，４３，４４，４５  ヘッダ
３９，４６  連結弁
１００  空調ユニット
２００  冷熱源ユニット
３００，５００  ポンプユニット
４００  温熱源ユニット
【図１】
2009138997.tif 000003
【図２】
2009138997.tif 000004
【図３】
2009138997.tif 000005
【図４】
2009138997.tif 000006
【図５】
2009138997.tif 000007
【図６】
2009138997.tif 000008